(57)【要約】【課題】  電子メールの転送者情報をメール内に保持して利用できるようにする。【解決手段】  メールサーバ１の電子メール処理装置１０では，送信／転送された電子メール内のアクセス情報を調べ，本文データをｈｔｍｌ形式に変換し，送信者メールアドレスを取得してアクセス情報に付加する。手続受付サーバ２の転送者情報管理装置２０では，ユーザコンピュータ３から転送された電子メールのアクセス情報を用いてアクセスされると，アクセス情報に含まれるパラメータから送信者アドレスを取得し転送者情報として登録する。所定の手続が実行されると，転送者情報に所定のポイントを付与する。【選択図】  図１
2007166262.tif 000002
【特許請求の範囲】
【請求項１】
処理対象の電子メールを格納するメール記憶部を備えるコンピュータが，電子メールの送信処理を行う電子メール処理方法であって，
前記コンピュータが，
処理対象として受け付けた電子メール内に，所定の手続を実行するためのウェブサイトへのアクセス情報が記載されているか否かを判定し，
前記電子メールに前記アクセス情報が記載されている場合に，前記電子メールの送信者の電子メールアドレスである送信者アドレスを取得し，
前記電子メールから本文データを抽出し，前記本文データをマークアップ言語形式データに変換し，
前記変換された本文データに，前記送信者アドレスを付加し，
前記変換された本文データに前記送信者アドレスが付加された電子メールを前記メール記憶部に格納する
ことを特徴とする電子メール処理方法。
【請求項２】
前記コンピュータが，
前記電子メールの本文データに前記送信者アドレスを付加する場合に，前記送信者アドレスを前記アクセス情報の付加パラメータとして追加する
ことを特徴とする請求項１に記載の電子メール処理方法。
【請求項３】
コンピュータが電子メールの転送者に関する情報を管理する転送者情報管理方法であって，
前記コンピュータが，
所定の手続を実行するためのウェブサイトへのアクセス情報が記載された電子メールを用いて，ユーザが前記手続を実行した場合に，前記アクセス情報に含まれる前記電子メールの送信者情報を設定したパラメータを取得してパラメータ記憶部に格納し，
前記パラメータから，前記送信者情報として，前記電子メールの送信者の電子メールアドレスである送信者アドレスを抽出し，前記抽出した送信者アドレスを転送者アドレスとして設定した転送者情報を転送者情報記憶部に登録し，
前記実行された手続に関する情報と前記転送者アドレスとを対応付けて設定した申込情報を申込情報記憶部に登録する
ことを特徴とする転送者情報管理方法。
【請求項４】
前記コンピュータが，
前記申込情報記憶部に記憶された申込情報から特定した前記手続に対応する転送者アドレスをもとに，前記転送者情報記憶部の特定された転送者アドレスに所定のポイントを付与する
ことを特徴とする請求項３に記載の転送者情報管理方法。
【請求項５】
ウェブサイトのアドレス情報が記載された電子メールを用いて所定の手続を案内する作業を支援するために，電子メールの送信処理を行う電子メール処理装置と，電子メールの転送者に関する情報を管理する転送者情報管理装置とを備える処理システムであって，
前記電子メール処理装置は，
処理対象の電子メールを格納するメール記憶部と，
処理対象として受け付けた電子メール内に，所定の手続を実行するためのウェブサイトへのアクセス情報が記載されているか否かを判定するアクセス情報存在判定部と，
前記電子メールに前記アクセス情報が記載されている場合に，前記電子メールの送信者の電子メールアドレスである送信者アドレスを取得する送信者アドレス取得部と，
前記電子メールの本文データに，前記送信者アドレスを付加する送信者アドレス付加部と，
前記本文データに付加された電子メールを前記メール記憶部に格納する送信メール格納処理部とを備え，
前記転送者情報管理装置は，
所定の手続を実行するためのウェブサイトへのアクセス情報が記載された電子メールから抽出された前記アクセス情報に含まれるパラメータを記憶するパラメータ記憶部と，
前記電子メールの転送者の電子メールアドレスである転送者アドレスと，前記転送者が前記手続の実行に寄与した程度を表すポイントとを含む転送者情報を記憶する転送者情報記憶部と，
前記実行された手続に関する情報と，前記手続の実行の契機となった電子メールの転送者アドレスとを含む申込情報を記憶する申込情報記憶部と，
ユーザが，アクセス情報が記載された電子メールを用いてウェブサイトにアクセスし所定の手続を実行した場合に，前記電子メールのアクセス情報に含まれる前記電子メールの送信者情報を設定したパラメータを取得し，前記パラメータ記憶部に格納するパラメータ取得部と，
前記パラメータから，前記送信者情報として，前記電子メールの送信者の電子メールアドレスである送信者アドレスを抽出し，前記抽出した送信者アドレスを前記転送者情報の転送者アドレスとして設定した転送者情報を前記転送者情報記憶部に登録する転送者情報処理部と，
前記手続が実行された場合に，前記実行された手続に関する情報と，前記手続に関連する転送者アドレスとを設定した申込情報を前記申込情報記憶部に登録する申込情報登録部とを備える
ことを特徴とする電子メールによる手続案内の支援処理システム。
【発明の詳細な説明】
【技術分野】
【０００１】
本発明は，電子メールによる手続案内の支援処理システムに関する。さらに詳しくは，所定の手続を案内するための電子メールの処理を行う電子メール処理方法，前記電子メールの転送者に関する情報を管理する転送者情報管理方法，およびウェブサイトへのアクセス情報が記載された電子メールを用いて所定の手続を案内する作業を支援するための手続案内の支援処理システムに関する。
【背景技術】
【０００２】
近年，インターネットのウェブサイト上で顧客を誘導する仕組みとしてアフィリエイトが一般的になっている。
【０００３】
アフィリエイトでは，アフィリエイトの代理者が自己の識別情報を含むＵＲＬ（Ｕｎｉｆｏｒｍ  Ｒｅｓｏｕｒｃｅ  Ｌｏｃａｔｏｒ）をｈｔｍｌデータに組み込んだウェブサイトなどを用意する。このウェブサイトでＵＲＬがクリックされて所定のウェブサイトへ誘導されると，アフィリエイトの管理者に，アクセスの契機となったウェブサイトの所有者の識別情報が通知され，ユーザのアクセス誘導に対する報酬が代理者に提供される。
【０００４】
また，電子メールにＵＲＬを記述して特定のウェブサイトを案内することも一般的に行われている。上記のアフィリエイトと同様に，特定のウェブサイトへのアクセス誘導に貢献した場合に，契機となった電子メールの送信者メールアドレスを用いて特定した者に報酬が提供される仕組みが知られている（特許文献１参照）。
【０００５】
一方，電子メールの受信者は，第三者に電子メールを自由に転送することができる。電子メールが受信者から第三者へ転送された場合に，電子メールの作成者である最初の送信者（原送信者）は，自分が作成した電子メールが誰宛に転送されたのかを知ることができない。そこで，原送信者が，自分が送信した電子メールの転送状況を把握できるように，転送先の一覧を原送信者のユーザメールアプリケーション（メーラ）に送信し，転送先一覧や転送経路を表示する電子メール装置が知られている（特許文献２参照）。
【特許文献１】特開２００１−２０２４５４号公報
【特許文献２】特開平１１−００４２５０号公報
【発明の開示】
【発明が解決しようとする課題】
【０００６】
特定のウェブサイトへのアクセス情報としてＵＲＬを記載した電子メールを他者に送信することによって，所定の手続を案内したメール送信者に対し，案内の成果を把握したり，案内に対するインセンティブを付与する仕組みを構築する場合に，この電子メールを受信し第三者に転送した転送者も，同様に案内に貢献していると考えられる。
【０００７】
例えば，企業における社員に対しての教育案内の場合について考える。
【０００８】
教育セミナを提供する教育機関から企業の教育担当者宛に，教育セミナを案内する電子メール（案内メール）が送信されると仮定する。案内メールには，教育セミナ受講の申込フォームへアクセスするＵＲＬが記載されているとする。教育担当者Ａは，社員の中の受講候補者を宛先にして，受信した案内メールを転送して，教育セミナの受講を促す。
【０００９】
教育担当者Ａから転送された案内メールを受信した受講候補者ｘは，案内メールの内容を検討し，案内メール中にあるＵＲＬをもとに，教育セミナの申込フォームを利用して直接教育セミナの受講を申し込む。または，別の受講候補者ｙは案内メールの内容に，より適切な別の社員ｚを宛先にして案内メールを転送する。そして，社員ｚは，転送された案内メールをもとに，教育セミナの申込フォームを利用して直接教育セミナの受講を申し込む。
【００１０】
このような状況において，受講候補者ｙは，社員ｚの教育セミナ受講に貢献していることになる。しかし，教育機関は，社員ｚの教育セミナ受講成約にかかわった受講候補者ｙの貢献を知ることができない。
【００１１】
また，教育担当者Ａは，案内メールの送信先として把握している受講候補者ｘ，ｙ以外の社員ｚが受講したことを，教育機関または社員ｚからの通知があるまで知ることができない。
【００１２】
したがって，案内メールを用いて，所定の手続（この場合は，教育セミナの受講申込）の案内を行う場合に，案内メールの転送者に対しても，適切なインセンティブを付与する仕組みが必要である。
【００１３】
また，このような案内を管理する者（この場合は，教育担当者）が，案内メールが第三者に対して自由に転送された結果として，案内メールの成果をできる限り簡単に把握できる仕組みが必要である。
【００１４】
従来のアフィリエイトの仕組みでは，所定のＵＲＬへのアクセスを案内する場所としてウェブページを想定し，電子メールによるアクセス誘導を想定していない。そのため，不特定の転送者に対する報酬付与の仕組みがない。
【００１５】
また，特許文献１の方法においても，ＵＲＬを記述した案内メールが第三者へ転送されても，案内を管理する管理者は，案内メール転送者の情報を取得することができず，案内メールの転送者を報酬付与の対象とすることができない。
【００１６】
また，特許文献２の装置においては，原送信者は，案内メールの転送者一覧や転送経路を知ることができるが，どの転送者が所定の手続の案内に貢献したかを知ることができない。
【００１７】
本発明の目的は，所定の手続を案内するためのウェブサイトへのアクセス情報を記載した電子メールが第三者間で自由に転送された場合でも，電子メールの転送者に関する情報をその電子メール内に保持できるように電子メールを処理する方法を提供することである。
【００１８】
また，本発明の目的は，所定の手続を案内するためのウェブサイトへのアクセス情報を記載した電子メールが転送者の情報を含むものである場合に，その電子メールのアクセス情報を用いて所定の手続が実施されたときに，当該電子メールの転送者の情報を取得して転送者情報を管理する処理方法を提供することである。
【００１９】
また，本発明の目的は，上記電子メール処理方法および上記転送者情報管理方法を用いて，特定のウェブサイトへのアクセス情報を記載した電子メールによって，所定の手続を案内する作業を支援するための手続案内の支援処理システムを提供することである。
【課題を解決するための手段】
【００２０】
上記の目的を達成するために，本発明は，処理対象の電子メールを格納するメール記憶部を備えるコンピュータが，電子メールの送信処理を行う電子メール処理方法であって，前記コンピュータが，１）処理対象として受け付けた電子メール内に，所定の手続を実行するためのウェブサイトへのアクセス情報が記載されているか否かを判定し，２）前記電子メールに前記アクセス情報が記載されている場合に，前記電子メールの送信者の電子メールアドレスである送信者アドレスを取得し，３）前記電子メールから本文データを抽出し，前記本文データをマークアップ言語形式データに変換し，４）前記変換された本文データに，前記送信者アドレスを付加し，５）前記変換された本文データに前記送信者アドレスが付加された電子メールを前記メール記憶部に格納することを特徴とする。
【００２１】
本発明の電子メール処理方法を実施するメールサーバなどのコンピュータは，処理対象として受け付けた電子メール内に，所定の手続を実行するためのウェブサイトへのアクセス情報（例えばＵＲＬなど）が記載されているか否かを判定する。電子メールにＵＲＬなどが記載されている場合に，電子メールのヘッダ部などから，送信者の電子メールアドレス（送信者アドレス）を取得する。さらに，電子メールから本文データを抽出し，本文データをマークアップ言語形式（例えばｈｔｍｌ形式）のデータに変換し，変換された本文データに，抽出された送信者アドレスを付加し，この電子メールをメール記憶部に格納する。
【００２２】
これによって，特定のウェブサイトのＵＲＬが記載された電子メールは，転送処理によって前記メールサーバに受け付けられるたびに，その転送処理における送信者アドレスが順に電子メール本文内に追加される。
【００２３】
さらに，本発明では，電子メールの本文データに送信者アドレスを付加する場合に，電子メールに記載されたアクセス情報の付加パラメータとして追加してもよい。
【００２４】
これによって，ユーザが電子メールに記載されたアクセス情報を用いてアクセスする時に，アクセスされたウェブサイトのサーバは，送信者アドレスをアクセス情報のパラメータとして取得することができる。
【００２５】
また，本発明では，電子メールの変換された本文データに記載されたアクセス情報を，変換に用いたマークアップ言語形式のタグを用いてアンカー化してもよい。
【００２６】
これによって，電子メールを受信したユーザは，記載されたアクセス情報をクリックするだけで，直ちに特定のウェブサイトへアクセスでき所定の手続を実行することができる。
【００２７】
さらに，本発明は，コンピュータが電子メールの転送者に関する情報を管理する転送者情報管理方法であって，前記コンピュータが，１）所定の手続を実行するためのウェブサイトへのアクセス情報が記載された電子メールを用いて，ユーザが前記手続を実行した場合に，前記アクセス情報に含まれる前記電子メールの送信者情報を設定したパラメータを取得してパラメータ記憶部に格納し，２）前記パラメータから，前記送信者情報として，前記電子メールの送信者の電子メールアドレスである送信者アドレスを抽出し，前記抽出した送信者アドレスを転送者アドレスとして設定した転送者情報を転送者情報記憶部に登録し，３）前記実行された手続に関する情報と前記転送者アドレスとを対応付けて設定した申込情報を申込情報記憶部に登録することを特徴とする。
【００２８】
本発明の転送者情報管理方法を実施する手続受付用のサーバなどのコンピュータは，所定の手続を実行するためのウェブサイトへのアクセス情報が記載された電子メールを用いて，ユーザが前記手続を実行した場合に，その電子メールに記載されたアクセス情報に含まれる前記電子メールの送信者情報を設定したパラメータを取得してパラメータ記憶部に格納する。そして，格納されたパラメータから，送信者情報として電子メールの送信者アドレスを抽出し，この送信者アドレスを転送者アドレスとして設定した転送者情報を転送者情報記憶部に登録する。また，実行された手続に関する情報と転送者アドレスとを対応付けて設定した申込情報を申込情報記憶部に登録する。
【００２９】
これによって，所定の手続が実行される際にウェブサイトへアクセスされた時に，アクセス情報（ＵＲＬ）に付加されている送信者情報を設定したパラメータによって，パラメータに設定された当該手続の契機となった電子メールの転送者アドレスを取得することができる。
【００３０】
また，本発明は，申込情報記憶部に記憶された申込情報から特定した転送者アドレスをもとに，転送者情報の対応する転送者アドレスに所定のポイントを付与することができる。
【００３１】
これによって，電子メールの転送回数に応じて獲得したポイント合計にもとづいて所定の手続の案内に対する評価を行うことが可能となり，電子メールの転送者に対して案内へのインセンティブを与えることが期待できる。
【発明の効果】
【００３２】
本発明の電子メール処理方法によれば，物品の購入，サービス提供の申込などの所定の手続をユーザに案内する手段として，ウェブサイトのアドレス情報を記載した電子メールを利用する場合に，電子メールが第三者に転送された場合でも，転送の度に当該電子メール内に送信者アドレスが保持されるため，電子メール自体から転送に関与した者の情報を知ることができる。
【００３３】
また，本発明の転送者情報管理方法によれば，上記の電子メールのアドレス情報を用いて所定の手続が実行された場合に，所定のウェブサイトにおいてアクセス情報に付加されたパラメータとして電子メールの送信者アドレスを取得するため，実行された手続と関連付けて転送者情報を管理することができる。
【００３４】
これによって，実行された手続を案内した電子メールの転送に関与した者に対しても手続成否の寄与に対する報酬の提供などが可能となり，電子メールを利用した手続案内を効果的に支援できる仕組みを実現することができる。
【発明を実施するための最良の形態】
【００３５】
図１は，本発明を実施する手続案内の支援処理システムの構成例を示す図である。
【００３６】
手続案内の支援処理システムは，メールサーバ１，手続受付サーバ２，ユーザコンピュータ３で構成される。これらの構成要素は，インターネット４に接続している。
【００３７】
メールサーバ１は，電子メールの送信または受信の処理を行うコンピュータである。メールサーバ１は，処理対象の電子メール内に，所定の手続を実行するための手続受付サーバ２へのアクセス情報が記載された電子メールに，当該電子メールの送信者情報を付加する電子メール処理装置１０を備える。
【００３８】
手続受付サーバ２は，所定の手続の実行のための申込フォームを保持し，手続を受け付けるコンピュータである。ここで，手続受付サーバ２は，教育セミナの受講手続を受け付けるサーバである。手続受付サーバ２は，電子メールに記載されたアクセス情報を用いてアクセスされた場合に，当該電子メールに付加された送信者情報を収集し，転送者情報として管理する転送者情報管理装置２０を備える。
【００３９】
ユーザコンピュータ３は，ユーザが送信する電子メールを処理するユーザメール処理部（メーラ）３２，ウェブサイトが提供するページやフォームなどのｈｔｍｌデータを閲覧するウェブ閲覧処理部（ブラウザ）３４などを備える。手続案内の支援処理システムは，複数のユーザコンピュータ３で構成される。
【００４０】
図２は，メールサーバ１および電子メール処理装置１０の構成例を示す図である。
【００４１】
メールサーバ１は，メール受付部１０２，メール格納部１０４，メール送出部１０６などを備える。
【００４２】
メール受付部１０２は，手続受付サーバ２へのアクセス情報（ＵＲＬ）を記載した送信処理された電子メールを受け付け，メール格納部１０４へ格納する処理手段である。
【００４３】
メール格納部１０４は，送信対象の電子メールを格納する記憶手段である。
【００４４】
メール送出部１０６は，メール格納部１０４に格納された電子メールを他のメールサーバに送出する処理手段である。
【００４５】
電子メール処理装置１０は，送信者アドレス取得部１１，メール本文取得部１２，メール本文ｈｔｍｌ変換部１３，ＵＲＬ記述検索部１４，送信者アドレス追加部１５，メール保存部１６などを備える。
【００４６】
送信者アドレス取得部１１は，メール格納部１０４から電子メールを取得し，電子メールのヘッダ部から，送信者のメールアドレス（送信者アドレス）を取得する処理手段である。
【００４７】
メール本文取得部１２は，電子メールの本文データを取得する処理手段である。
【００４８】
メール本文ｈｔｍｌ変換部１３は，電子メールの本文データがテキストデータ形式などｈｔｍｌ形式以外のデータ形式である場合に，本文データをｈｔｍｌ形式データに変換する処理手段である。
【００４９】
ＵＲＬ記述検索部１４は，電子メールの本文データから，所定のウェブサイトへのアクセス情報として記載されたＵＲＬの文字列を検索し，ｈｔｍｌ形式のアンカータグを付与して，ＵＲＬ文字列をアンカー化する処理手段である。
【００５０】
送信者アドレス追加部１５は，抽出された電子メールの送信者アドレスを，所定のパラメータ設定を用いてＵＲＬの付加パラメータとして付加する処理手段である。
【００５１】
メール保存部１６は，本文データのＵＲＬのパラメータに送信者アドレスが設定された電子メールをメール格納部１０４に保存する処理手段である。
【００５２】
図３は，手続受付サーバ２および転送者情報管理装置２０の構成例を示す図である。
【００５３】
手続受付サーバ２は，パラメータ取得部２０１，パラメータ記憶部２０２，申込フォーム表示部２０３，申込情報登録部２０４，申込情報記憶部２０５などを備える。
【００５４】
パラメータ取得部２０１は，ユーザコンピュータ３から，電子メールに記載されたＵＲＬを用いてアクセス要求があった場合に，ＵＲＬに付加されたパラメータを取得し，パラメータ記憶部２０２に記憶する処理手段である。
【００５５】
申込フォーム表示部２０３は，ユーザコンピュータ３のブラウザ３４ｃに表示させる教育セミナ申込のための申込フォームを生成する処理手段である。
【００５６】
申込情報登録部２０４は，ユーザコンピュータ３で表示された教育セミナの申込フォームで入力された申込情報を取得し，申込情報記憶部２０５に登録する処理手段である。
【００５７】
転送者情報管理装置２０は，サイト情報記憶部２１，手続管理者情報記憶部２２，転送者情報処理部２３，転送者情報記憶部２４，申込通知部２５，情報登録部２６などを備える。
【００５８】
サイト情報記憶部２１は，サイト情報を記憶する記憶手段である。
【００５９】
図４は，サイト情報の例を示す図である。サイト情報は，所定の手続のためにアクセスするウェブサイトなどのＵＲＬ（申込フォームのＵＲＬ）を設定したアクセス情報，その手続のためのアクセス情報を記載した電子メールを作成し送信した送信者のメールアドレス（サービス提供者のメールアドレス）を設定した原送信者アドレスなどの項目で構成される。
【００６０】
手続管理者情報記憶部２２は，手続管理者情報を記憶する記憶手段である。手続管理者とは，電子メールで案内される手続が，教育セミナの受講申込手続である場合に，組織内の受講申込手続を管理する管理者である。
【００６１】
図５は，手続管理者情報の例を示す図である。手続管理者情報は，組織名，組織における手続管理者のメールアドレスなどの項目で構成される。
【００６２】
転送者情報処理部２３は，パラメータ記憶部２０２に記憶されたパラメータから，手続の契機となったアクセス情報を記載した電子メールの送信者アドレスを抽出し，抽出した送信者アドレスを転送者アドレスとして転送者情報に設定し転送者情報記憶部２４に登録し，申込情報記憶部２０５に記憶された該当手続の申込情報に，転送者アドレスを設定する処理手段である。
【００６３】
また，転送者情報処理部２３は，サイト情報記憶部２１を参照して，当該手続のためにアクセス要求されたＵＲＬと，ＵＲＬのパラメータに一番目に追加された送信者アドレスとの組み合わせがサイト情報と一致する場合に，パラメータの二番目以降に追加された送信者アドレスを転送者アドレスとする。
【００６４】
図６は，転送者情報の例を示す図である。転送者情報は，転送者アドレスとされた電子メールの送信者のメールアドレス，手続の実行関与を評価するために付与されたポイント合計などの項目で構成される。
【００６５】
図７は，申込情報の例を示す図である。申込情報は，手続（申込）者アドレス，手続（申込）者名，手続（申込）者住所，手続の契機となった電子メールの転送者アドレスなどの項目で構成される。
【００６６】
申込通知部２５は，申込情報記憶部２０５の申込情報をもとに，電子メールのアクセス情報を契機に所定の手続（教育セミナの受講申込）が行われたことを通知する電子メールを申込情報の転送者アドレスを宛先に設定して送信する処理手段である。
【００６７】
情報登録部２６は，サイト情報をサイト情報記憶部２１に，手続管理者情報を手続管理者情報記憶部２２にそれぞれ登録する処理手段である。サイト情報，手続管理者情報は，予め登録される。
【００６８】
図８を用いて，本発明の処理の流れを説明する。
【００６９】
教育セミナを開催する教育会社（送信者）のユーザコンピュータ３ｅｄｕから，教育セミナの受講を案内する電子メール（案内メール）５が企業の教育担当者Ａのユーザコンピュータ３ａに送信される。
【００７０】
図９は，送信者のユーザコンピュータ３ｅｄｕから送信される案内メール５の例を示す図である。
【００７１】
案内メール５は，テキスト形式のメールデータであって，本文中に受講申込の手続を実行するためのウェブサイトのアクセス情報として，手続受付サーバ２の申込フォームのＵＲＬである「http://edu.fxxxx.com/career/seminar01.html」が記載されている。また，案内メール５には送信者として教育会社のメールアドレス「career@edu.fxxxx.com」，宛先として教育担当者のメールアドレス「staff_a@jp.fxxxx.com」が設定されている。
【００７２】
図８に示すように，案内メール５は，送信者のユーザコンピュータ３ｅｄｕからメールサーバ１ヘ送信される。
【００７３】
メールサーバ１では，メール受付部１０２が案内メール５を受け付け，メール格納部１０４へ格納する。
【００７４】
メールサーバ１において，電子メール処理装置１０の送信者アドレス取得部１１は，メール格納部１０４の案内メール５を取り出し，案内メール５のヘッダ部から送信者のメールアドレス「career@edu.fxxxx.com」を抽出する。メール本文取得部１２は，案内メール５の本文データを取得する。メール本文ｈｔｍｌ変換部１３は，抽出された本文データをｈｔｍｌ形式に変換して案内メール６ｏｒｇを生成する。
【００７５】
次に，ＵＲＬ記述検索部１４は，案内メール６ｏｒｇの本文データからアクセス情報として記述されているＵＲＬを検索し，アンカータグ＜ａ＞，＜／ａ＞を用いて，ＵＲＬをアンカー化して，申込フォームへのリンクを以下のように設定する。
【００７６】
<a href="http://edu.fxxxx.com/career/seminar01.html">  
http://edu.fxxxx.com/career/seminar01.html  
</a>  
アンカータグのＵＲＬには未だパラメータが設定されていないので，送信者アドレス追加部１５は，ＵＲＬの付加パラメータとして，案内メール５のヘッダ部から取得された送信者アドレスを追加する。具体的には，パラメータ「?from0=career@edu.fxxxx.com」を，以下のように，アンカータグ内のＵＲＬに追加する。
【００７７】
<a href="http://edu.fxxxx.com/career/seminar01.html  
?from0=career@edu.fxxxx.com">  
http://edu.fxxxx.com/career/seminar01.html  
</a>  
そして，メール保存部１６は，案内メール６ｏｒｇをメール格納部１０４に格納する。
【００７８】
なお，その後に，メール送出部１０６によって，メール格納部１０４の案内メール６ｏｒｇが送出されてメール送信処理が完了する。
【００７９】
次に，教育担当者Ａのユーザコンピュータ３ａは，案内メール６ｏｒｇを受信する。教育担当者Ａは，社内の社員に教育セミナの受講を促すために，案内メール６ｏｒｇを社員ｂへ転送する。転送される案内メール６ａには送信者アドレスとして教育担当者Ａのメールアドレス「staff_a@jp.fxxxx.com」，宛先アドレスとして社員ｂのメールアドレス「staff_b@jp.fxxxx.com」が設定される。
【００８０】
メールサーバ１は，案内メール６ａを受け付けると，上記の場合と同様に案内メール６ａをメール格納部１０４に格納する。電子メール処理装置１０のメール本文取得部１２は，案内メール６ａの本文データを抽出する。また，送信者アドレス取得部１１は，案内メール６ａのヘッダ部から送信者アドレス「staff_a@jp.fxxxx.com」を抽出する。
【００８１】
ＵＲＬ記述検索部１４は，本文データから，アクセス情報としてＵＲＬへのリンク情報（アンカータグ＜ａ＞から＜／ａ＞までの部分）を検索する。
【００８２】
送信者アドレス追加部１５は，抽出された送信者アドレス「staff_a@jp.fxxxx.com」をＵＲＬに既に付加されているパラメータの後に追加する。
【００８３】
<a href="http://edu.fxxxx.com/career/seminar01.html  
?from0=career@edu.fxxxx.com
&from1=staff_a@jp.fxxxx.com">  
http://edu.fxxxx.com/career/seminar01.html  
</a>  
メール保存部１６が，案内メール６ａをメール格納部１０４に格納すると，メール送出部１０６は，通常の送信処理を行う。
【００８４】
その後，社員ｂのユーザコンピュータ３ｂは，案内メール６ａを受信する。そして，内容を検討して，より適切な社員に教育セミナの受講を勧めるために，受信した案内メール６ａを別の社員ｃへ転送する。社員ｂから転送される案内メール６ｂには送信者アドレスとして社員ｂ（３ｂ）のメールアドレス「staff_b@jp.fxxxx.com」，宛先アドレスとして社員ｃ（３ｃ）のメールアドレス「staff_c@jp.fxxxx.com」が設定される。
【００８５】
メールサーバ１および電子メール処理装置１０では，案内メール６ａの転送処理と同様の処理を行う。案内メール６ｂには，送信者アドレス「staff_b@jp.fxxxx.com」がアンカータグのＵＲＬの付加パラメータの後ろに追加される。
【００８６】
<a href="http://edu.fxxxx.com/career/seminar01.html  
?from0=career@edu.fxxxx.com
&from1=staff_a@jp.fxxxx.com
&from2=staff_b@jp.fxxxx.com">  
http://edu.fxxxx.com/career/seminar01.html  
</a>  
社員ｃのユーザコンピュータ３ｃは，社員ｂ（３ｂ）からの案内メール６ｂを受信する。
【００８７】
図１０は，社員ｃ（３ｃ）が受信する案内メール６ｂの例を示す図である。案内メール６ｂに記載されているアクセス情報（ＵＲＬ）はアンカー化されているので，クリックによって，社員ｃのユーザコンピュータ３ｃのブラウザが起動し，手続受付サーバ２へアクセス要求して申込フォーム表示部２０３から申込フォームをダウンロードする。
【００８８】
このアクセス要求時に，手続受付サーバ２において，パラメータ取得部２０１は，ＵＲＬに付加されたパラメータを取得してパラメータ記憶部２０２に格納する。
【００８９】
また，社員ｃ（３ｃ）が，申込フォームで所定の情報を入力すると，手続受付サーバ２の申込情報登録部２０４は申込情報を取得し，申込情報記憶部２０５に登録する。
【００９０】
社員ｃ（３ｃ）の教育セミナ受講申込の手続が終了すると，転送者情報管理装置２０の転送者情報処理部２３は，この手続に対応するアクセス要求時に取得したパラメータから送信者アドレスを取得する。ここで，パラメータ「？ｆｒｏｍ＝」の値として，次の送信者アドレスが取得される。
【００９１】
「ｃａｒｅｅｒ＠ｅｄｕ．ｆｘｘｘｘ．ｃｏｍ」，
「ｓｔａｆｆ＿ａ＠ｊｐ．ｆｘｘｘｘ．ｃｏｍ」，
「ｓｔａｆｆ＿ｂ＠ｊｐ．ｆｘｘｘｘ．ｃｏｍ」
さらに，サイト情報記憶部２１を参照し，このアクセス要求のＵＲＬと一番目に追加された送信者アドレスとの組み合わせがサイト情報と一致するかどうかを調べ，組み合わせがサイト情報と一致する場合に，二番目以降のメールアドレスを転送者アドレスとする。ここでは，以下の２つの送信者アドレスが転送者アドレスとされる。
【００９２】
「ｓｔａｆｆ＿ａ＠ｊｐ．ｆｘｘｘｘ．ｃｏｍ」，
「ｓｔａｆｆ＿ｂ＠ｊｐ．ｆｘｘｘｘ．ｃｏｍ」
この転送者アドレスを設定した転送者情報を転送者情報記憶部２４に登録し，所定のポイントを付加する。転送者アドレス全てに同一ポイントを付加してもよいし，パラメータに最後に付加された送信者アドレス（最後のパラメータの送信者アドレス）により多くのポイントを付加するようにしてもよい。
【００９３】
また，申込情報記憶部２０５の該当する申込情報に転送者アドレスを設定する。
【００９４】
申込通知部２５は，申込があったことを通知する電子メールを，手続管理者情報記憶部２２の手続管理者情報を参照して教育担当者Ａへ，また，申込情報記憶部２０５の申込情報を参照して転送者である社員ｂ（３ｂ）へそれぞれ通知する。
【００９５】
このように，社員ｂ（３ｂ）が，教育担当者Ａから提示された案内メールを他の社員ｃ（３ｃ）へ転送することによって，教育会社は，教育セミナの受講申込の成約を得ることができる。また，企業内においても，教育セミナの案内を無駄にすることなく，より適切な社員に教育機会を提供することができる。
【００９６】
社員ｂ（３ｂ）は，案内メールの転送によって，所定の報奨の基準となるポイントを獲得するため，以降に同様の案内メールを受信した場合にも，受講申込の可能性が高い社員に案内メールを転送するというインセンティブが働く。
【００９７】
また，教育担当者Ａは，案内メールを契機として受講申込を行った社員を知ることができるため，受講状況をチェックできるだけでなく，以降の案内においてより効果的な案内メールの転送先を検討するための資料を得ることができる。
【００９８】
図１１〜図１２は，メールサーバ１における処理フローを示す図である。
【００９９】
図１１において，メールサーバ１のメール受付部１０２が，ユーザコンピュータ３から電子メール（メール）を受け付け，メール格納部１０４に格納すると，メール格納部１０４に格納されたメールを抽出する（ステップＳ１０）。
【０１００】
電子メール処理装置１０のメール本文ｈｔｍｌ変換部１３は，メール本文取得部１２がメール格納部１０４から取り出したメールがｈｔｍｌ形式であるかどうかを判断し（ステップＳ１１），ｈｔｍｌ形式でなければ（ステップＳ１１のＮＯ），メールをｈｔｍｌ形式に変換する（ステップＳ１２）。
【０１０１】
送信者アドレス取得部１１は，メールのヘッダ部から送信者のメールアドレスを取得する（ステップＳ１３）。
【０１０２】
ＵＲＬ記述探索部１４は，メール内のＵＲＬの記述を検索して（ステップＳ１４），ＵＲＬの記述があれば（ステップＳ１５のＹＥＳ），送信者アドレス追加部１５は，メールアドレス追加処理を行う（ステップＳ１６）。メール本文の最後までＵＲＬ記述の検索が終了していなければ（ステップＳ１７のＮＯ），ステップＳ１４からステップＳ１６の処理を繰り返し，メール本文の最後までＵＲＬ記述の検索が終了したら（ステップＳ１７のＹＥＳ），メール保存部１６は，メールをメール格納部１０４に保存する（ステップＳ１８）。
【０１０３】
図１２は，ステップＳ１６のメールアドレス追加処理の処理フローを示す図である。
【０１０４】
送信者アドレス追加部１５は，ＵＲＬにパラメータ”ｆｒｏｍ”があるかどうかを判定する（ステップＳ１６１）。パラメータ”ｆｒｏｍ”がなければ（ステップＳ１６１のＮＯ），メールのヘッダ部から抽出された送信者のメールアドレスをパラメータ値とする”？ｆｒｏｍ０＝”を追加する（ステップＳ１６２）。
【０１０５】
パラメータ”ｆｒｏｍ”があれば（ステップＳ１６１のＹＥＳ），パラメータ”ｆｒｏｍＮ＝”の番号Ｎの最大値Ｍを取得し（ステップＳ１６３），送信者のメールアドレスをパラメータ値とする”＆ｆｒｏｍ（Ｍ＋１）＝”を，現在のパラメータの後ろに追加する（ステップＳ１６４）。
【０１０６】
図１３〜図１４は，手続受付サーバ２における処理フローを示す図である。
【０１０７】
ユーザコンピュータ３において，メーラ３２は，電子メールを受信する(ステップＳ２０）。
【０１０８】
ユーザが電子メールの本文データ内のアクセス情報（ＵＲＬ）をクリックすると，ブラウザ３４が起動し，アクセス要求としてパラメータが付加されたＵＲＬを送信する（ステップＳ２１）。
【０１０９】
手続受付サーバ２では，パラメータ取得部２０１は，取得したＵＲＬのパラメータをパラメータ記憶部２０２に保存する（ステップＳ２２）。申込フォーム表示部２０３は，該当する申込フォームを生成，送信する（ステップＳ２３）。
【０１１０】
ユーザコンピュータ３では，申込フォームを表示し（ステップＳ２４），申込フォームで入力された所定の申込情報を手続受付サーバ２へ送信する（ステップＳ２５）。
【０１１１】
手続受付サーバ２において，申込情報登録部２０４は，送信された申込情報を取得し，申込情報記憶部２０５に登録する（ステップＳ２６）。
【０１１２】
その後，転送者情報管理装置２０の転送者情報処理部２３は，パラメータ記憶部２０２からパラメータを，申込情報記憶部２０５から申込情報を取得し（ステップＳ２７），サイト情報記憶部２１を参照して，アクセス要求されたＵＲＬとパラメータの一番目”ｆｒｏｍ０＝”の送信者アドレスとの組み合わせがサイト情報に登録されているかどうかを判定する（ステップＳ２８）。
【０１１３】
ＵＲＬとパラメータの一番目のメールアドレスとの組み合わせがサイト情報に登録されていれば（ステップＳ２８のＹＥＳ），転送者情報処理を実行する（ステップＳ２９）。
【０１１４】
そして，申込通知部２５は，申込情報記憶部２０５の申込情報の転送者アドレスを宛先として，申込があった旨を通知する電子メールを送信する（ステップＳ２１０）。
【０１１５】
一方，ＵＲＬとパラメータの一番目のメールアドレスとの組み合わせがサイト情報に登録されていなければ（ステップＳ２８のＮＯ），処理を終了する。
【０１１６】
図１４は，ステップＳ２９の転送者情報処理の処理フローを示す図である。
【０１１７】
転送者情報処理部２３は，値ｎに，０からＮまでの値を代入し（ステップＳ２９１），パラメータ記憶部２０２から取り出したパラメータの”ｆｒｏｍ  ｎ”に対応する送信者アドレス（メールアドレス）を取り出し，転送者アドレスとする（ステップＳ２９２）。申込情報記憶部２０５の該当する申込情報の転送者アドレスの欄に，転送者アドレスを登録する（ステップＳ２９３）。
【０１１８】
そして，転送者情報記憶部２４の転送者情報に，転送者アドレスが既に登録されているかどうかを調べる（ステップＳ２９４）。転送者アドレスが登録されていなければ（ステップＳ２９４のＮＯ），転送者アドレスを転送者情報に登録する（ステップＳ２９５）。転送者アドレスが登録されていれば（ステップＳ２９４のＹＥＳ），転送者アドレスに所定のポイントを追加する（ステップＳ２９６）。
【０１１９】
そして，値ｎ＝Ｎかどうかを調べて，全てのパラメータを抽出したかどうかを判定する（ステップＳ２９７）。値ｎ＝Ｎであれば（ステップＳ２９７のＹＥＳ），処理を終了して復帰し，値ｎ＝Ｎでなければ（ステップＳ２９７のＮＯ），ステップＳ２９１へ戻り，処理を繰り返す。
【０１２０】
以上，本発明をその実施の形態により説明したが，本発明はその主旨の範囲において種々の変形が可能であることは当然である。
【０１２１】
また，本発明は，コンピュータにより読み取られ実行されるプログラムとして実施することができる。本発明を実現するプログラムは，コンピュータが読み取り可能な，可搬媒体メモリ，半導体メモリ，ハードディスクなどの適当な記録媒体に格納することができ，これらの記録媒体に記録して提供され，または，通信インタフェースを介して種々の通信網を利用した送受信により提供されるものである。
【０１２２】
本発明の形態および実施例の特徴を列記すると以下のとおりである。
【０１２３】
（付記１）  処理対象の電子メールを格納するメール記憶部を備えるコンピュータが，電子メールの送信処理を行う電子メール処理方法であって，
前記コンピュータが，
処理対象として受け付けた電子メール内に，所定の手続を実行するためのウェブサイトへのアクセス情報が記載されているか否かを判定し，
前記電子メールに前記アクセス情報が記載されている場合に，前記電子メールの送信者の電子メールアドレスである送信者アドレスを取得し，
前記電子メールから本文データを抽出し，前記本文データをマークアップ言語形式データに変換し，
前記変換された本文データに，前記送信者アドレスを付加し，
前記変換された本文データに前記送信者アドレスが付加された電子メールを前記メール記憶部に格納する
ことを特徴とする電子メール処理方法。
【０１２４】
（付記２）  前記コンピュータが，
前記電子メールの本文データに前記送信者アドレスを付加する場合に，前記送信者アドレスを前記アクセス情報の付加パラメータとして追加する
ことを特徴とする前記付記１に記載の電子メール処理方法。
【０１２５】
（付記３）  前記コンピュータが，
前記変換された本文データに記載されたアクセス情報を，前記マークアップ言語形式のタグを用いてアンカー化する
ことを特徴とする前記付記１記載の電子メール処理方法。
【０１２６】
（付記４）  電子メールの送信処理を行う電子メール処理装置であって，
処理対象の電子メールを格納するメール記憶部と，
処理対象として受け付けた電子メール内に，所定の手続を実行するためのウェブサイトへのアクセス情報が記載されているか否かを判定するアクセス情報存在判定部と，
前記電子メールに前記アクセス情報が記載されている場合に，前記電子メールの送信者の電子メールアドレスである送信者アドレスを取得する送信者アドレス取得部と，
前記電子メールの本文データに，前記送信者アドレスを付加する送信者アドレス付加部と，
前記本文データに付加された電子メールを前記メール記憶部に格納する送信メール格納処理部とを備える
電子メール処理装置。
【０１２７】
（付記５）  コンピュータが電子メールの転送者に関する情報を管理する転送者情報管理方法であって，
前記コンピュータが，
所定の手続を実行するためのウェブサイトへのアクセス情報が記載された電子メールを用いて，ユーザが前記手続を実行した場合に，前記アクセス情報に含まれる前記電子メールの送信者情報を設定したパラメータを取得してパラメータ記憶部に格納し，
前記パラメータから，前記送信者情報として，前記電子メールの送信者の電子メールアドレスである送信者アドレスを抽出し，前記抽出した送信者アドレスを転送者アドレスとして設定した転送者情報を転送者情報記憶部に登録し，
前記実行された手続に関する情報と前記転送者アドレスとを対応付けて設定した申込情報を申込情報記憶部に登録する
ことを特徴とする転送者情報管理方法。
【０１２８】
（付記６）  前記コンピュータが，
前記申込情報記憶部に記憶された申込情報から特定した前記手続に対応する転送者アドレスをもとに，前記転送者情報記憶部の特定された転送者アドレスに所定のポイントを付与する
前記付記５に記載の転送者情報管理方法。
【０１２９】
（付記７）  前記コンピュータが，
ウェブサイトへのアクセス情報と，前記アクセス情報が記載された電子メールの最初の送信者の電子メールアドレスである原送信者アドレスとを含むサイト情報を記憶するサイト情報記憶部を備えて，前記パラメータから抽出した送信者アドレスのうち前記パラメータに一番目に追加された送信者アドレスと前記アクセス情報との組み合わせが前記サイト情報と一致する場合に，前記パラメータに二番目以降に付加された送信者アドレスを転送者アドレスとして前記転送者情報記憶部に登録する
前記付記５に記載の転送者情報管理方法。
【０１３０】
（付記８）  前記コンピュータが，
前記申込情報記憶部に記憶された申込情報をもとに，前記手続の実行を通知する電子メールを，前記転送者アドレスを宛先として送信する
前記付記５に記載の転送者情報管理方法。
【０１３１】
（付記９）  電子メールの転送者に関する情報を管理する転送者情報管理装置であって，
所定の手続を案内する電子メールに記載された，所定のウェブサイトへのアクセス情報から抽出されたパラメータを記憶するパラメータ記憶部と，
前記電子メールの転送者の電子メールアドレスである転送者アドレスと，前記転送者が前記手続の実行に寄与した程度を表すポイントとを含む転送者情報を記憶する転送者情報記憶部と，
前記実行された手続に関する情報と，前記手続の実行の契機となった電子メールの転送者アドレスとを含む申込情報を記憶する申込情報記憶部と，
ユーザが，アクセス情報が記載された電子メールを用いてウェブサイトにアクセスし所定の手続を実行した場合に，前記電子メールのアクセス情報に含まれる前記電子メールの送信者情報を設定したパラメータを取得し前記パラメータ記憶部に格納するパラメータ取得部と，
前記パラメータから，前記電子メールの送信者の電子メールアドレスである送信者アドレスを抽出し，前記抽出した送信者アドレスを前記転送者情報の転送者アドレスとして設定した転送者情報を前記転送者情報記憶部に登録する転送者情報処理部と，
前記手続が実行された場合に，前記実行された手続に関する情報と，前記手続に関連する転送者アドレスとを設定した申込情報を前記申込情報記憶部に登録する申込情報登録部とを備える
転送者情報管理装置。
【０１３２】
（付記１０）  ウェブサイトのアドレス情報が記載された電子メールを用いて所定の手続を案内する作業を支援するために，電子メールの送信処理を行う電子メール処理装置と，電子メールの転送者に関する情報を管理する転送者情報管理装置とを備える処理システムであって，
前記電子メール処理装置は，
処理対象の電子メールを格納するメール記憶部と，
処理対象として受け付けた電子メール内に，所定の手続を実行するためのウェブサイトへのアクセス情報が記載されているか否かを判定するアクセス情報存在判定部と，
前記電子メールに前記アクセス情報が記載されている場合に，前記電子メールの送信者の電子メールアドレスである送信者アドレスを取得する送信者アドレス取得部と，
前記電子メールの本文データに，前記送信者アドレスを付加する送信者アドレス付加部と，
前記本文データに付加された電子メールを前記メール記憶部に格納する送信メール格納処理部とを備え，
前記転送者情報管理装置は，
所定の手続を実行するためのウェブサイトへのアクセス情報が記載された電子メールから抽出された前記アクセス情報に含まれるパラメータを記憶するパラメータ記憶部と，
前記電子メールの転送者の電子メールアドレスである転送者アドレスと，前記転送者が前記手続の実行に寄与した程度を表すポイントとを含む転送者情報を記憶する転送者情報記憶部と，
前記実行された手続に関する情報と，前記手続の実行の契機となった電子メールの転送者アドレスとを含む申込情報を記憶する申込情報記憶部と，
ユーザが，アクセス情報が記載された電子メールを用いてウェブサイトにアクセスし所定の手続を実行した場合に，前記電子メールのアクセス情報に含まれる前記電子メールの送信者情報を設定したパラメータを取得し，前記パラメータ記憶部に格納するパラメータ取得部と，
前記パラメータから，前記送信者情報として，前記電子メールの送信者の電子メールアドレスである送信者アドレスを抽出し，前記抽出した送信者アドレスを前記転送者情報の転送者アドレスとして設定した転送者情報を前記転送者情報記憶部に登録する転送者情報処理部と，
前記手続が実行された場合に，前記実行された手続に関する情報と，前記手続に関連する転送者アドレスとを設定した申込情報を前記申込情報記憶部に登録する申込情報登録部とを備える
電子メールによる手続案内の支援処理システム。
【図面の簡単な説明】
【０１３３】
【図１】本発明を実施する手続案内の支援処理システムの構成例を示す図である。
【図２】メールサーバおよび電子メール処理装置の構成例を示す図である。
【図３】手続受付サーバおよび転送者情報管理装置の構成例を示す図である。
【図４】サイト情報の例を示す図である。
【図５】手続管理者情報の例を示す図である。
【図６】転送者情報の例を示す図である。
【図７】申込情報の例を示す図である。
【図８】本発明の処理の流れを説明するための図である。
【図９】送信者（教育会社）から送信される案内メールの例を示す図である。
【図１０】社員ｃ（３ｃ）が受信する案内メールの例を示す図である。
【図１１】メールサーバにおける処理フローを示す図である。
【図１２】メールアドレス追加処理の処理フローを示す図である。
【図１３】手続受付サーバにおける処理フローを示す図である。
【図１４】転送者情報処理の処理フローを示す図である。
【符号の説明】
【０１３４】
１  メールサーバ
１０  電子メール処理装置
１１  送信者アドレス取得部
１２  メール本文取得部
１３  メール本文ｈｔｍｌ変換部
１４  ＵＲＬ記述検索部
１５  送信者アドレス追加部
１６  メール保存部
１０２  メール受付部
１０４  メール格納部
１０６  メール送出部
２  手続受付サーバ
２０  転送者情報管理装置
２１  サイト情報記憶部
２２  手続管理者情報記憶部
２３  転送者情報処理部
２４  転送者情報記憶部
２５  申込通知部
２６  情報登録部
２０１  パラメータ取得部
２０２  パラメータ記憶部
２０３  申込フォーム表示部
２０４  申込情報登録部
２０５  申込情報記憶部
３  ユーザコンピュータ
３２  ユーザメール処理部
３４  ウェブ閲覧処理部
４  インターネット
【図１】
2007166262.tif 000003
【図２】
2007166262.tif 000004
【図３】
2007166262.tif 000005
【図４】
2007166262.tif 000006
【図５】
2007166262.tif 000007
【図６】
2007166262.tif 000008
【図７】
2007166262.tif 000009
【図８】
2007166262.tif 000010
【図９】
2007166262.tif 000011
【図１０】
2007166262.tif 000012
【図１１】
2007166262.tif 000013
【図１２】
2007166262.tif 000014
【図１３】
2007166262.tif 000015
【図１４】
2007166262.tif 000016